(57)【要約】【課題】  本発明は、光源付近に見られる明暗差を小さくして輝度ムラを減衰させ、出射光を有効に拡散させることで、サイドライト型面光源装置の見栄えを向上させることを目的とする。【解決手段】  少なくとも、光入射面と該光入射面から入射された光を面状に出射する光出射面とを有する導光板と、前記導光板の光出射面に対向する面側に配置される反射部材と、前記導光板の光出射面側に配置される光学部材と、前記導光板の光入射面に向け光を出射する光源とで構成されるサイドライト型面光源装置において、前記導光板と前記反射部材の間に光透過率の強弱を設けた光透過性部材を配置し、前記導光板の光入射面に対向する面から入射される光の光量分布を均質化したことを特徴とするサイドライト型面光源装置とする。【選択図】  図１
2005293963.tif 000002
【特許請求の範囲】
【請求項１】
少なくとも、光入射面と該光入射面から入射された光を面状に出射する光出射面とを有する導光板と、前記導光板の光出射面に対向する面側に配置される反射部材と、前記導光板の光出射面側に配置される光学部材と、前記導光板の光入射面に向け光を出射する光源とで構成されるサイドライト型面光源装置において、前記導光板と前記反射部材の間に光透過率の強弱を設けた光透過性部材を配置し、前記導光板の光出射面に対向する面から入射される光の光量分布を均質化したことを特徴とするサイドライト型面光源装置。
【請求項２】
少なくとも、光入射面と該光入射面から入射された光を面状に出射する光出射面とを有する導光板と、該導光板を搭載するケースと、前記導光板の光出射面側に配置される光学部材と、前記導光板の光入射面に向け光を出射する光源とで構成されるサイドライト型面光源装置において、前記導光板の光出射面に対向する面と対向する前記ケース内面に反射率の強弱を設けた反射面を形成し、前記導光板の光出射面に対向する面から入射される光の光量分布を均質化したことを特徴とするサイドライト型面光源装置。
【発明の詳細な説明】
【技術分野】
【０００１】
本発明は、液晶用バックライト等に使用されるサイドライト型面光源装置、特に光源付近の見栄え向上の対策を施した面光源装置に関するものである。
【背景技術】
【０００２】
図７は、従来のサイドライト型面光源装置の基本構造を示す分解斜視図、図８は図７の矢視Ａ方向から見た断面図である。１は光源で、例えば発光ダイオード（ＬＥＤ）である。光源１はフレキシブル基板８上に実装されており、前記光源１が実装されたフレキシブル基板８は、両面テープ７で導光板３の側端部（光入射面）に固定されている。
【０００３】
５はケースで、ケース５の底部に反射部材２を配置し、該反射部材２の上に導光板３が配置されている。該導光板３の光入射面側には光源１が配置され、該導光板３の光出射面側には光学部材４が配置されている。６は開口部発光エリア９を有するシャーシで、導光板３の光出射面側に前記開口部発光エリア９を対応させて被せられ、サイドライト型面光源装置が構成されている。
【０００４】
前記反射部材２はシート状に形成されたもので、高反射率を有する部材である。前記反射部材２は、例えば、ポリエステルやポリオレフィンあるいは樹脂シートに銀等の金属粒子を蒸着したものである。
【０００５】
前記光学部材４は数種のシート状部材が積層されたもので、図７および図８においては、導光板３の光出射面上に下から拡散シート、縦プリズムシート、横プリズムシートの順に積層され配置されている。
【０００６】
前述のサイドライト型面光源装置は、ケース５内に収納された導光板３の光出射面に対向する面側（導光板３の下面側）に高反射率を有する反射部材２（上側反射面）を配置することにより光源１から出射された光は、反射部材２で上方向に反射されながら導光板３内を通過する。導光板３から立ち上げられた光は、光学部材４を通過することで出射方向が整えられて、シャーシ６の開口部発光エリア９から外部へ出射される。本装置は液晶表示装置の面光源装置として利用される（例えば、特許文献１参照）。
【０００７】
【特許文献１】特開２００２−２２９０２２号公報（第５頁−第６頁、図１）
【発明の開示】
【発明が解決しようとする課題】
【０００８】
背景技術に示すサイドライト型面光源装置は、シャーシ６の開口部発光エリア９内において、光源１付近が明るく見え、他の周辺部位が暗く見える現象、つまり発光面で明暗差が大きく輝度ムラが生じやすいという問題があった。これは、導光板３の入光端面から開口部発光エリア９までの距離が短い程、また前記導光板３の厚みが薄い程発生しやすいことがわかっている。しかし、昨今は製品の薄型化による導光板への薄さ小ささへの要求が強い為、良い解決策が見つかっていなかった。
【０００９】
本発明は、光源付近に見られる明暗差を小さくして輝度ムラを減衰させ、出射光を有効に拡散させることで、サイドライト型面光源装置の見栄えを向上させることを目的とする。
【課題を解決するための手段】
【００１０】
少なくとも、光入射面と該光入射面から入射された光を面状に出射する光出射面とを有する導光板と、前記導光板の光出射面に対向する面側に配置される反射部材と、前記導光板の光出射面側に配置される光学部材と、前記導光板の光入射面に向け光を出射する光源とで構成されるサイドライト型面光源装置において、前記導光板と前記反射部材の間に光透過率の強弱を設けた光透過性部材を配置し、前記導光板の光入射面に対向する面から入射される光の光量分布を均質化したことを特徴とするサイドライト型面光源装置とする。
【００１１】
少なくとも、光入射面と該光入射面から入射された光を面状に出射する光出射面とを有する導光板と、該導光板を搭載するケースと、前記導光板の光出射面側に配置される光学部材と、前記導光板の光入射面に向け光を出射する光源とで構成されるサイドライト型面光源装置において、前記導光板の光出射面に対向する面と対向する前記ケース内面に反射率の強弱を設けた反射面を形成し、前記導光板の光出射面に対向する面から入射される光の光量分布を均質化したことを特徴とするサイドライト型面光源装置とする。
【発明の効果】
【００１２】
前記導光板の光出射面に対向する面側に配置される光透過性部材に透過率の強弱を設けたので、前記導光板内へ再度反射されて戻される光量の分布を調整できるため、光源付近の明暗差を少なくし、輝度ムラを向上させることができる。
【００１３】
前記導光板の光出射面に対向する面側に配置されるケース内側に反射率の強弱を設けた反射面が形成されているので、前記導光板内へ再度反射されて戻される光量の分布を調整できるため、光源付近の明暗差を少なくし、輝度ムラを向上させることができる。さらに、本構成によると、ケースに反射面を設けているのでケースとは別に反射部材を設ける必要がなくなり部品点数を一つ少なくすることができ、さらに装置の厚さを薄くすることができる。
【発明を実施するための最良の形態】
【００１４】
導光板の光出射面に対向する面側に光透過率の強弱を設けた光透過性部材を配置する、あるいはケース内側に反射率の強弱を設けた反射面を形成する構造とすることで、従来においては十分に拡散されずにいた光量を調整することにより、光量分布を均質化することで光源付近の明暗差を少なくし、輝度ムラの向上を実現した。
【実施例１】
【００１５】
図１は、本発明の第一実施例で、サイドライト型面光源装置を示す分解斜視図である。図２は、図１の矢視Ａ方向から見た断面図である。また、図３は、光透過性部材１０を図１の矢視Ｂ方向から見た概略図である。従来の構成と同様の部分については同一の符号を用いて説明する（以下、同様）。１は光源で、例えば発光ダイオード（ＬＥＤ）である。光源１はフレキシブル基板８上に実装されており、前記光源１が実装されたフレキシブル基板８は、両面テープ７で導光板３の側端部（光入射面）側に固定されている。
【００１６】
５はケースで、ケース５の底部に反射部材２を配置し、該反射部材２はシート状の部材で、例えば、ポリエステルやポリオレフィンあるいは樹脂シートに銀等の金属粒子を蒸着したものである。前記導光板の光出射面に対向する面側に光透過率に強弱を設けた光透過性部材１０を配置し、サイドライト型面光源装置を構成する。前記光透過性部材１０はシート状の部材で、例えばポリエステルなどで透明または半透明なものである。前記導光板３の光入射面側には光源１が配置され、該導光板３の光出射面側には光学部材４が配置されている。光学部材４は、例えば、導光板３の光出射面側から拡散シート、縦プリズムシート、横プリズムシートの順に各シート状部材が積層されて成るものである。６は開口部発光エリア９を有するシャーシで、導光板３の光出射面側に前記開口部発光エリア９を対応させて被せられている。
【００１７】
前記構成のサイドライト型面光源装置において、光源１から出射され光透過性部材１０を透過した光は、反射部材２で上方向に反射されながら導光板３内を通過する。導光板３から立ち上げられた光の多くは、光学部材４を通過することで光の出射方向が整えられて、開口部発光エリア９からサイドライト型面光源装置外部へ出射される。このとき、光源１付近では光透過率に強弱を設けた光透過性部材１０により、前記導光板内へ再度反射されて戻される光量の分布が均質に調整される。該構成により光源１付近の明暗差を少なくし輝度ムラを向上させることができる。
【００１８】
前記光透過性部材１０において、光透過率に強弱を設けるためには、具体例として以下の方法がある。一つは、光透過性部材１０の透過表面１０ａに図３（ａ）に示すようなグラデーションパターン１１を形成する方法である。また一つは、光透過性部材１０の透過表面１０ａに図３（ｂ）に示すようなグラデーションドットパターン１２を形成する方法である。前記グラデーションパターン１１やグラデーションドットパターン１２は、光源に近い程光透過率が小さく、遠い程光透過率が大きくなるように形成されている。この形成方法としては、例えば表面をブラスト処理することで表面粗さに変化を付けたり、インクを印刷により塗布することで表面に濃淡を施したり、表面を非常に微細な凹凸状の粗面にしたりするものがある。
【実施例２】
【００１９】
図４は、本発明の第二実施例で、サイドライト型面光源装置を示す分解斜視図である。図５は、図４の矢視Ａ方向から見た断面図である。また、図６は、ケース５を図４の矢視Ｂ方向から見た概略図である。本発明の第二実施例の構成は、従来技術に示した構成と比較して反射部材を省略したものだが、その代用としてケース５の内側は通常よりも反射率の高い反射面５ａが形成されている。この反射率の高い反射面を形成するには、具体例として以下のような方法がある。一つは、ステンレス鋼板を冷間圧延後に光輝熱処理やスキンパス仕上げをすることで非常に高い反射率を有する光沢面を形成する方法。また一つは、ステンレス鋼板表面を非常に細かい目の研磨材で鏡面研磨仕上げする方法。また一つは、ステンレス等の鉄鋼材料の素地に銀等の金属粒子を蒸着させて光沢面を形成する方法。また一つは、ステンレス等の鉄鋼材料の素地に白色反射ポリエステル層を接合させて光沢面を形成する方法。また一つは、ポリカーボネート等の樹脂材料の素地に白色反射ポリエステル層を接合させて光沢面を形成する方法である。
【００２０】
このような構成により光源１から出射された光は、ケース５の内側反射面５ａで上方向に反射されながら導光板３内を通過する。導光板３から立ち上げられた光の多くは、光学部材４を通過することで光の出射方向が整えられて、開口部発光エリア９からサイドライト型面光源装置外部へ出射される。このとき、光源１付近では反射率に強弱を設けたケース５の内側反射表面５ａにより、前記導光板内へ再度反射されて戻される光量の分布が均質に調整される。該構成により光源１付近の明暗差を少なくし、輝度ムラを向上させることができる。
【００２１】
前記ケース５において、反射率に強弱を設けた内側反射表面５ａを形成するには、具体例として以下の方法がある。一つは、図６（ａ）に示すようなグラデーションパターン１１を形成する方法である。また一つは、図６（ｂ）に示すようなグラデーションドットパターン１２を形成する方法である。前記グラデーションパターン１１やグラデーションドットパターン１２は、光源に近い程反射率が小さく遠い程反射率が大きくなるように形成されている。この形成方法としては、例えば表面をブラスト処理することで表面粗さに変化を付けたり、インクを印刷により塗布することで表面に濃淡を施したり、表面を非常に微細な凹凸状の粗面にしたりするものがある。
【図面の簡単な説明】
【００２２】
【図１】本発明のサイドライト型面光源装置を示す分解斜視図（実施例１）
【図２】図１の矢視Ａ方向から見た断面図（実施例１）
【図３】図１の矢視Ｂ方向から見た光透過性部材の概略図（実施例１）
【図４】本発明のサイドライト型面光源装置を示す分解斜視図（実施例２）
【図５】図３の矢視Ａ方向から見た断面図（実施例２）
【図６】図４の矢視Ｂ方向から見たケースの概略図（実施例２）
【図７】従来のサイドライト型面光源装置の基本構造を示す分解斜視図
【図８】図７の矢視Ａ方向から見た断面図
【符号の説明】
【００２３】
１      光源
２      反射部材
３      導光板
４      光学部材
５      ケース
５ａ    反射表面
６      シャーシ
７      両面テープ
８      フレキシブル基板
９      開口部発光エリア
１０      光透過性部材
１０ａ    透過表面
１１      グラデーションパターン
１２      グラデーションドットパターン
【図１】
2005293963.tif 000003
【図２】
2005293963.tif 000004
【図３】
2005293963.tif 000005
【図４】
2005293963.tif 000006
【図５】
2005293963.tif 000007
【図６】
2005293963.tif 000008
【図７】
2005293963.tif 000009
【図８】
2005293963.tif 000010